(57)【要約】  シュリンクラベルの装着を容易にすると共に、びん割れを容易に発見できるようにする。  びん胴部外周面に複数の縦溝を形成し、びん裾部から底部にかけて半径方向のナーリング溝を形成し、ナーリング溝と縦溝の間に周方向の横溝を形成したガラスびん外周にシュリンクラベルを装着し、シュリンクラベル内面と、縦溝、ナーリング溝及び横溝の間に形成された空間が連通していることにより、ガラスびんの胴部に割れが生じた場合、胴部外周面に漏れ出した内溶液が前記空間を移動し、シュリンクラベル下端のナーリング溝から外部に流れ出るので、びん割れを容易に発見できる。シュリンクラベル装着時にラベルをびん下端よりも浮かせた状態で保持する必要がないので、ラベル装着が容易である。
2013160992.tif 000002
【特許請求の範囲】
【請求項１】
びん胴部外周面に複数の縦溝を形成し、
びん裾部から底部にかけて半径方向のナーリング溝を形成し、
該ナーリング溝と前記縦溝の間に周方向の横溝を形成したガラスびん外周にシュリンクラベルを装着し、
該シュリンクラベル内面と、前記縦溝、ナーリング溝及び横溝の間に形成された空間が連通していることにより、
ガラスびんの胴部に割れが生じた場合、胴部外周面に漏れ出した内溶液が前記空間を移動し、シュリンクラベル下端の前記ナーリング溝から外部に流れ出ることを特徴とするシュリンクラベル付きガラスびん。
【請求項２】
前記シュリンクラベルの上端が前記縦溝上端よりも下方にある請求項１に記載のシュリンクラベル付きガラスびん。
【請求項３】
びん胴部外周面に、多数の凹凸により少なくとも縦方向に連続する凹部を有する凹凸面を形成し、
びん裾部から底部にかけて半径方向のナーリング溝を形成し、
該ナーリング溝と前記凹凸面の間に周方向の横溝を形成したガラスびん外周にシュリンクラベルを装着し、
該シュリンクラベル内面と、前記凹部、ナーリング溝及び横溝の間に形成された空間が連通していることにより、
ガラスびんの胴部に割れが生じた場合、胴部外周面に漏れ出した内溶液が前記空間を移動し、シュリンクラベル下端の前記ナーリング溝から外部に流れ出ることを特徴とするシュリンクラベル付きガラスびん。
【請求項４】
前記シュリンクラベルの上端が前記凹凸面上端よりも下方にある請求項３に記載のシュリンクラベル付きガラスびん。
【請求項５】
ガラスびんを成形する仕上型と底型のパーティングラインが、前記横溝の、凹凸のない平滑面に形成される請求項１〜４のいずれかに記載のシュリンクラベル付きガラスびん。
【発明の詳細な説明】
【技術分野】
【０００１】
本発明は、落下などでガラスびんが割れたときに、割れたことを容易に発見できるシュリンクラベル付きガラスびんに関する。
【背景技術】
【０００２】
胴部にシュリンクラベルを被覆したガラスびんは、胴部に割れが発生して内溶液が漏れ出した場合、漏れた液がシュリンクラベルの内側に留まり、発見しにくいという難点がある。特に、内容量が５０〜１００ｍｌ、又はびん高さが１００〜１３０ｍｍ程度の小型のガラスびんは、包装箱から店頭に並べる作業において、一度に複数のびんを掴んで行われることが多く、そのためびんを落下させ、割れが発生する可能性が高い。
このような場合、びんが割れているのにも関わらず陳列され、消費者が購入後まで気づかないおそれがある。
したがって、シュリンクラベル付きのガラスびんは割れを容易に発見できるものでなくてはならない。びんの割れを容易に発見できるシュリンクラベル付きガラスびんは、例えば下記の特許文献１，２などに開示されている。【０００３】
特許文献１は、びん胴部に多数の縦溝を形成しておき、胴部を覆ったシュリンクラベルの縦溝の位置の上下に、縦溝と外部を連通する連通孔を設けたものである。びん割れが発生してびん胴部外面に内溶液が漏れ出すと、その内溶液が上記連通孔からシュリンクラベルの外部に流れ出し、びん割れを発見しやすい構成となっている。【０００４】
特許文献２は、びん胴部に凹凸を多数形成して縦方向及び横方向に連続する凹部を形成し、該胴部をシュリンクラベルで被覆し、シュリンクラベルの上端を前記凹凸を形成した領域の上端よりも下方とし、シュリンクラベルの下端を前記凹凸を形成した領域の下端よりも上方とし、びん割れが発生してびん胴部外面に内溶液が漏れ出すと、その内溶液がシュリンクラベル下端から外部に流れ出し、びん割れを発見しやすい構成となっている。
【先行技術文献】
【特許文献】
【０００５】
【特許文献１】特許第４０３０９７６号公報
【特許文献２】特許第４８２７５３８号公報
【発明の開示】
【発明が解決しようとする課題】
【０００６】
上記特許文献１のガラスびんは、漏れ出した内溶液が、縦溝と外部を連通する連通孔から外部に出てくる構成であるため、シュリンクラベルに形成した連通孔が確実に全ての縦溝の位置に来るように位置合わせをしなければならず、シュリンクラベルを装着する工程が煩雑になる。連通孔の位置が合っていないものは期待した効果が出ず、シュリンクラベルを剥がして再び装着し直さなければならない。連通孔を非常に細かいピッチで設ければ位置合わせは不要となるが、シュリンクラベルの連通孔を設けた部分が脆弱になり、流通過程で切断されてしまい見栄えがきわめて悪くなるという問題がある。【０００７】
上記特許文献２のガラスびんは、シュリンクラベルの位置合わせが不要で、シュリンクラベルが流通段階で切断してしまうおそれもなく、凹凸は微細なものでよいのでガラスびん胴部の強度低下も少ない。【０００８】
しかし、ラベル下端を、びん胴部の凹凸を形成した領域よりも上方となるように装着するためには、ラベルをびん下端よりも浮かせた状態で保持し、熱収縮させなければならないのであるが、この工程を安定して行うのが困難であった。さらに、ラベルがびんの上方向にすっぽ抜けやすいという問題もある。【０００９】
本発明は、上記特許文献２のシュリンクラベル付きガラスびんを更に改良し、シュリンクラベルの装着を容易にすること、シュリンクラベルのすっぽ抜けを防止すること、びん割れが発生したときに外部に流れ出す内溶液の量を比較的多くしてびん割れを発見しやすくすることを課題とするものである。
【課題を解決するための手段】
【００１０】
〔請求項１〕
本願発明は、びん胴部外周面に複数の縦溝を形成し、
びん裾部から底部にかけて半径方向のナーリング溝を形成し、
該ナーリング溝と前記縦溝の間に周方向の横溝を形成したガラスびん外周にシュリンクラベルを装着し、
該シュリンクラベル内面と、前記縦溝、ナーリング溝及び横溝の間に形成された空間が連通していることにより、
ガラスびんの胴部に割れが生じた場合、胴部外周面に漏れ出した内溶液が前記空間を移動し、シュリンクラベル下端の前記ナーリング溝から外部に流れ出ることを特徴とするシュリンクラベル付きガラスびんである。【００１１】
本発明のシュリンクラベル付きガラスびんは、びん割れ時に、内溶液が、びんの裾部から底部にかけて形成されたナーリング溝から流れ出すので、びん割れを容易に発見でき、シュリンクラベル装着時に、ラベルをびん下端よりも浮かせた状態で保持する必要がなく、ラベル装着が容易であり、ラベルがびん下端まで巻締められてラベルのすっぽ抜けの心配もない。
シュリンクラベルの下端は、ナーリング溝の一部を覆っている位置にあればよい。【００１２】
縦溝は、内溶液が流れるのに十分な幅、深さを確保できるので、びん割れが発生したときに外部に流れ出す内溶液の量を比較的多くでき、びん割れを更に発見しやすくなる。【００１３】
〔請求項２〕
また本発明は、前記シュリンクラベルの上端が前記縦溝上端よりも下方にある請求項１に記載のシュリンクラベル付きガラスびんである。【００１４】
シュリンクラベルの上端が縦溝上端よりも下方にあると、空気がシュリンクラベル上端から縦溝内に自由に入り込むので、びん割れ時に内溶液が縦溝内をスムースに降下し、外部に流れ出る内溶液の量が多くなり、びん割れを更に発見しやすくなる。【００１５】
〔請求項３〕
また本発明は、びん胴部外周面に、多数の凹凸により少なくとも縦方向に連続する凹部を有する凹凸面を形成し、
びん裾部から底部にかけて半径方向のナーリング溝を形成し、
該ナーリング溝と前記凹凸面の間に周方向の横溝を形成したガラスびん外周にシュリンクラベルを装着し、
該シュリンクラベル内面と、前記凹部、ナーリング溝及び横溝の間に形成された空間が連通していることにより、
ガラスびんの胴部に割れが生じた場合、胴部外周面に漏れ出した内溶液が前記空間を移動し、シュリンクラベル下端の前記ナーリング溝から外部に流れ出ることを特徴とするシュリンクラベル付きガラスびんである。【００１６】
本発明は、請求項１の発明の縦溝に代えて、びん胴部外周面に凹凸面を形成したもので、請求項１の発明と同様に、びん割れ時に、内溶液が、びんの裾部から底部にかけて形成されたナーリング溝から流れ出すので、びん割れを容易に発見でき、シュリンクラベル装着時に、ラベルをびん底よりも浮かせた状態で保持する必要がなく、ラベル装着が容易であり、ラベルがびん下端まで巻締められてラベルのすっぽ抜けの心配もない。【００１７】
凹凸面は、びん外面に溝や多数の小突起を設けることで形成してもよいし、槌目模様や、不定形な微細凹凸を組み合わせた梨地模様など、種々の態様とすることができる。少なくとも縦方向に連続する凹部とは、びん外面に流出した内溶液が凹部を伝わって下方に流れることができる態様であればよい。しかし、凹部は縦方向及び横方向に連続するものであるほうが、内溶液の降下が一層促進され、より好ましい。凹部が縦方向及び横方向に連続する凹凸面は、格子状の溝、多数の小突起、槌目模様、梨地模様などである。【００１８】
〔請求項４〕
また本発明は、前記シュリンクラベルの上端が前記凹凸面上端よりも下方にある請求項３に記載のシュリンクラベル付きガラスびんである。【００１９】
シュリンクラベルの上端が凹凸面上端よりも下方にあると、空気がシュリンクラベル上端から凹部内に自由に入り込むので、びん割れ時に内溶液が凹部内をスムースに降下し、外部に流れ出る内溶液の量が多くなり、びん割れを更に発見しやすくなる。【００２０】
〔請求項５〕
また本発明は、ガラスびんを成形する仕上型と底型のパーティングラインが、前記横溝の、凹凸のない平滑面に形成される請求項１〜４のいずれかに記載のシュリンクラベル付きガラスびんである。【００２１】
底型まで縦溝又は凹凸面を延長すると、成形時にびり（微細なクラック）発生の危険性が高くなる。仕上型開き時、びんに回転力が加わった際、底型内の縦溝又は凹凸面にびりが入りやすい。
また、仕上型と底型は熱膨張時の形状が異なることや、金型どうしのギャップなどの影響で、縦溝は凹凸模様が揃いにくい。
仕上型と底型のパーティングライン（仕上型と底型の境目）を、横溝内の、凹凸のない平滑面に形成することで、このような不具合を防止できる。
【発明の効果】
【００２２】
本発明のシュリンクラベル付きガラスびんは、びん割れ時に、内溶液が、びんの裾部から底部にかけて形成されたナーリング溝から流れ出すので、びん割れを容易に発見でき、シュリンクラベル装着時に、ラベルをびん底よりも浮かせた状態で保持する必要がなく、ラベル装着が容易であり、ラベルがびん下端まで巻締められてラベルのすっぽ抜けの心配もない。【００２３】
シュリンクラベルの上端が、縦溝又は凹凸面上端よりも下方にあるようにすると、空気がシュリンクラベル上端から縦溝又は凹部内に自由に入り込むので、びん割れ時に内溶液が縦溝内をスムースに降下し、外部に流れ出る内溶液の量が多くなり、びん割れを更に発見しやすくなる。【００２４】
また、縦溝の幅と深さ、又は凹凸面の形状を適宜選択することで、びん割れが発生したときに外部に流れ出す内溶液の量を比較的多くし、びん割れを容易に発見できるようにすることができる。
【図面の簡単な説明】
【００２５】
【図１】ガラスびん１ａの側面図である。
【図２】実施例のシュリンクラベル付きガラスびんの側面図である。
【図３】ガラスびん１ａの要部側面図である。
【図４】ガラスびん１ａの半径方向切断形状の要部説明図である。
【図５】ガラスびん１ａの半径方向切断形状の要部説明図である。
【図６】漏れ出た内溶液の流れの説明図である。
【図７】実施例のシュリンクラベル付きガラスびんの側面図である。
【図８】ガラスびん１ｂの側面図である。
【図９】実施例のシュリンクラベル付きガラスびんの側面図である。
【図１０】実施例のシュリンクラベル付きガラスびんの側面図である。
【発明の実施の形態】
【００２６】
図１のガラスびん１ａは小型の飲料用びん（円形びん）で、上から口部１１、ビード１２、首部１３、肩部１４、胴部１５、裾部１６、底部１７を有する。口部１１はキャップを螺合するためのねじを有する。首部１３はビード１２及び胴部１５よりも径が小さく、首部下端から胴部上端にかけて徐々に径が増加する肩部１４になっている。胴部１５は垂直ないわゆる直胴（円筒形）である。胴部下端から底部１７にかけて徐々に径が減少する裾部１６になっている。
【００２７】
肩部１４及び胴部１５には全周に亘って所定間隔で縦溝２が設けられている。縦溝の幅、深さは適宜定めればよいが、例えば、幅３〜８ｍｍ、深さ０．３〜０．８ｍｍ程度にすることができる。
縦溝は、少なくとも胴部の一部に設けられていればよい。
【００２８】
裾部１６から底部１７にかけて、半径方向のナーリング溝４が形成されることによって、ナーリング溝４に対して突出する半径方向のナーリング４１が形成されている。例えば、ナーリング溝の幅は１．５〜３．０ｍｍ、長さは２．０〜７．０ｍｍ、深さは０．２〜０．５ｍｍとすることができる。ナーリング溝及びナーリングは、半径方向に対してやや傾斜していてもよい。
【００２９】
胴部と裾部の間には、横溝３が全周に亘って形成されている。図４，５において鎖線αで示すのは、横溝が形成がない場合のびんの基本外形である。横溝の幅は５〜８ｍｍ程度、深さは０．３〜０．５ｍｍ程度が好適である。
【００３０】
縦溝２の下端は横溝３の上部に入り込み、ナーリング溝４の上端は横溝３の下部に入り込んでいる。
仕上型と底型のパーティングライン５は、横溝３の中の、縦溝３による凹凸（後述のガラスびん１ｂの場合は凹凸面７の凹凸）、及びナーリング溝４による凹凸のない平滑な面（水平断面が円形の面）に形成されている。これにより、ビリの発生等の不具合を防止できる。
【００３１】
図２のシュリンクラベル付きガラスびんは、ガラスびん１ａにシュリンクラベル６を装着したものである。シュリンクラベル６の上端は縦溝２の上端よりも下方に位置し、縦溝の上端がシュリンクラベル上端の上方に露出している。シュリンクラベル６の下端はほぼガラスびんの下端に位置し、シュリンクラベルはびん裾部まで巻締められている。
【００３２】
図６において、びん割れが生じた際、内溶液がびん胴部外面に漏れ出たときの内溶液の流れを矢印で示している。シュリンクラベル６の内面と、縦溝２の間の空間、横溝３の間の空間、及びナーリング溝４の間の空間は連通しており、内溶液は、縦溝→横溝→ナーリング溝の空間を流れて、シュリンクラベル６の下端において、ナーリング溝４から外部に流れ出る。
【００３３】
図７のシュリンクラベル付きガラスびんも、ガラスびん１ａにシュリンクラベル６を装着したものであるが、シュリンクラベル６の上端が縦溝２の上端よりも上方に位置している点で図２とは異なっている。このような場合は、シュリンクラベルの上部に水平方向に沿って複数の穴６１を設けることで、びん割れ時における内溶液の流出を促進できる。
【００３４】
図８のガラスびん１ｂは、図１のガラスびん１ａの縦溝２が形成されている外面部分を凹凸面７に変更したもので、その他はガラスびん１ａと全く同じである。凹凸面は、多数の凹凸により縦方向及び横方向に連続する凹部を有する。
【００３５】
図９のシュリンクラベル付きガラスびんは、ガラスびん１ｂにシュリンクラベル６を装着したものである。シュリンクラベル６の上端は凹凸面７の上端よりも下方に位置し、凹凸面７の上端がシュリンクラベル６上端の上に露出している。シュリンクラベル６の下端はほぼガラスびんの下端に位置し、シュリンクラベルはびん下端まで巻締められている。
【００３６】
図１０のシュリンクラベル付きガラスびんも、ガラスびん１ｂにシュリンクラベル６を装着したものであるが、シュリンクラベル６の上端が凹凸面７の上端よりも上方に位置している点で図９とは異なっている。このような場合は、シュリンクラベルの上部に水平方向に沿って複数の穴６１を設けることで、びん割れ時における内溶液の流出を促進できる。
【００３７】
図９，１０のシュリンクラベル付きガラスびんは、シュリンクラベル６の内面と、凹凸面７の凹部の間の空間、横溝３の間の空間、及びナーリング溝４の間の空間は連通しており、内溶液は、凹部→横溝→ナーリング溝の空間を流れて、シュリンクラベル６の下端において、ナーリング溝４から外部に流れ出る。
【符号の説明】
【００３８】
１ａ  ガラスびん
１ｂ  ガラスびん
１１  口部
１２  ビード
１３  首部
１４  肩部
１５  胴部
１６  裾部
１７  底部
２  縦溝
３  横溝
４  ナーリング溝
４１  ナーリング
５  パーティングライン
６  シュリンクラベル
６１  穴
７  凹凸面
【図１】
2013160992.tif 000003
【図２】
2013160992.tif 000004
【図３】
2013160992.tif 000005
【図４】
2013160992.tif 000006
【図５】
2013160992.tif 000007
【図６】
2013160992.tif 000008
【図７】
2013160992.tif 000009
【図８】
2013160992.tif 000010
【図９】
2013160992.tif 000011
【図１０】
2013160992.tif 000012
【国際調査報告】
2013160992.tif 000013
2013160992.tif 000014
2013160992.tif 000015
2013160992.tif 000016